(57)【要約】【課題】画面を迅速に表示させるとともに、スクロール操作により通信を介した最新の情報を提供することを可能とする。【解決手段】本発明に係る選曲装置は、ネイティブ情報とＷｅｂ情報を含む各種情報を表示可能な画面と、各種処理を実行可能な制御部と、ネイティブ情報を記憶した記憶部と、外部と通信を行うことでＷｅｂ情報を受信可能な通信部と、を備え、制御部は、各種情報で構成されたページ領域を画面に表示する表示処理を実行可能とし、ページ領域は、第１領域と、第１領域に隣接した第２領域とを有し、第１領域は、ネイティブ情報を使用し、Ｗｅｂ情報を使用せずに表示される領域であって、第２領域は、Ｗｅｂ情報を含んで表示される領域であって、表示処理は、画面にページ領域を表示させる際、第１領域を画面に表示させた後、ユーザのスクロール操作に基づいて第２領域を画面に表示させる。【選択図】図１１
2020187308.tif 000002
【特許請求の範囲】
【請求項１】
ネイティブ情報とＷｅｂ情報を含む各種情報を表示可能な画面と、
各種処理を実行可能な制御部と、
ネイティブ情報を記憶した記憶部と、
外部と通信を行うことでＷｅｂ情報を受信可能な通信部と、を備え、
制御部は、各種情報で構成されたページ領域を画面に表示する表示処理を実行可能とし、
ページ領域は、第１領域と、第１領域に隣接した第２領域とを有し、
第１領域は、ネイティブ情報を使用し、Ｗｅｂ情報を使用せずに表示される領域であって、
第２領域は、Ｗｅｂ情報を含んで表示される領域であって、
表示処理は、画面にページ領域を表示させる際、第１領域を画面に表示させた後、ユーザのスクロール操作に基づいて第２領域を画面に表示させる
選曲装置。
【請求項２】
制御部は、表示処理によって第１領域を画面に表示した際、第２領域を表示させるために必要なＷｅｂ情報を、通信部を使用して受信開始する
請求項１に記載の選曲装置。
【請求項３】
第１領域に表示されるネイティブ情報は、予め配信されている
請求項１または請求項２に記載の選曲装置。
【請求項４】
第１領域に表示されるネイティブ情報は、楽曲を再生するカラオケ装置の契約情報に基づいて選択される
請求項１から請求項３の何れか１項に記載の選曲装置。
【請求項５】
第１領域に表示されるネイティブ情報は、課金コンテンツを選択するための情報である
請求項１から請求項４の何れか１項に記載の選曲装置。
【請求項６】
第１領域を形成するプログラム言語と、第２領域を形成するプログラム言語とは異なる
請求項１から請求項５の何れか１項に記載の選曲装置。
【請求項７】
ページ領域は、楽曲の制御に関する操作領域を常時表示する
請求項１から請求項６の何れか１項に記載の選曲装置。
【請求項８】
表示処理は、画面のサイズを判定し、画面のサイズにあった第１表示領域を形成して表示する
請求項１から請求項７の何れか１項に記載の選曲装置。
【請求項９】
ネイティブ情報とＷｅｂ情報を含む各種情報を表示可能な画面と、
ネイティブ情報を記憶した記憶部と、
外部と通信を行うことでＷｅｂ情報を受信可能な通信部と、を備える情報処理装置で実行可能な選曲用プログラムであって、
各種情報で構成されたページ領域を画面に表示する表示処理を実行可能とし、
ページ領域は、第１領域と、第１領域に隣接した第２領域とを有し、
第１領域は、ネイティブ情報を使用し、Ｗｅｂ情報を使用せずに表示される領域であって、
第２領域は、Ｗｅｂ情報を含んで表示される領域であって、
表示処理は、画面にページ領域を表示させる際、第１領域を画面に表示させた後、ユーザのスクロール操作に基づいて第２領域を画面に表示させる
選曲用プログラム。
【発明の詳細な説明】
【技術分野】
【０００１】
本発明は、楽曲を選曲可能な楽曲選曲装置、及び、選曲用プログラムに関する。
【背景技術】
【０００２】
従来、宴会や飲み会等、各種の人が集う場等では、伴奏音に合わせて歌唱を楽しむカラオケが行われている。コンテンツ再生装置としてのカラオケ装置は、本来の機能であるカラオケ楽曲の再生のみならず、ゲームやカラオケ楽曲以外の各種コンテンツの再生を行うことが可能である。
【０００３】
特許文献１には、ドラマや映画などのＶＯＤ（ビデオ・オン・デマンド）サービス機能を付加したカラオケ装置が記載されている。このカラオケ装置では、カラオケ装置の基本機能であるカラオケ曲の再生と、ドラマや映画等のコンテンツの再生とを継続して楽しむことが可能となっている。
【先行技術文献】
【特許文献】
【０００４】
【特許文献１】特開２００７−２０６２９１号公報
【発明の概要】
【発明が解決しようとする課題】
【０００５】
このように楽曲の再生のみならず、カラオケ装置では、長尺のドラマ、映画、あるいは、アーティストのプロモーションビデオを再生することが可能である。ユーザは、楽曲の選曲と同様、選曲装置（リモコン装置）を使用して、所望のコンテンツを選択し、その再生を指示することになる。
【０００６】
選曲装置では、コンテンツを選択するためのコンテンツに関連する情報を表示することになるが、インターネットブラウザと同様に、Ｗｅｂ上からコンテンツに関連する情報を受信して、取得する場合、回線網の事情などによって、迅速に表示することができない場合がある。その場合、操作を行うユーザは、快適にコンテンツを選択できないことが考えられる。一方、コンテンツ選択画面で、ユーザに推奨するコンテンツは、適宜変化を伴うため、最新のコンテンツを提供することが好ましい。
【課題を解決するための手段】
【０００７】
そのため、本発明に係る選曲装置は、以下の構成を採用するものである。
ネイティブ情報とＷｅｂ情報を含む各種情報を表示可能な画面と、
各種処理を実行可能な制御部と、
ネイティブ情報を記憶した記憶部と、
外部と通信を行うことでＷｅｂ情報を受信可能な通信部と、を備え、
制御部は、各種情報で構成されたページ領域を画面に表示する表示処理を実行可能とし、
ページ領域は、第１領域と、第１領域に隣接した第２領域とを有し、
第１領域は、ネイティブ情報を使用し、Ｗｅｂ情報を使用せずに表示される領域であって、
第２領域は、Ｗｅｂ情報を含んで表示される領域であって、
表示処理は、画面にページ領域を表示させる際、第１領域を画面に表示させた後、ユーザのスクロール操作に基づいて第２領域を画面に表示させる。
【０００８】
また、本発明に係る選曲装置において、
制御部は、表示処理によって第１領域を画面に表示した際、第２領域を表示させるために必要なＷｅｂ情報を、通信部を使用して受信開始する。
【０００９】
また、本発明に係る選曲装置において、
第１領域に表示されるネイティブ情報は、予め配信されている。
【００１０】
また、本発明に係る選曲装置において、
第１領域に表示されるネイティブ情報は、楽曲を再生するカラオケ装置の契約情報に基づいて選択される。
【００１１】
また、本発明に係る選曲装置において、
第１領域に表示されるネイティブ情報は、課金コンテンツを選択するための情報である。
【００１２】
また、本発明に係る選曲装置において、
第１領域を形成するプログラム言語と、第２領域を形成するプログラム言語とは異なる。
【００１３】
また、本発明に係る選曲装置において、
ページ領域は、楽曲の制御に関する操作領域を常時表示する。
【００１４】
また、本発明に係る選曲装置において、
表示処理は、画面のサイズを判定し、画面のサイズにあった第１表示領域を形成して表示する。
【００１５】
また、本発明に係る選曲用プログラムは、
ネイティブ情報とＷｅｂ情報を含む各種情報を表示可能な画面と、
ネイティブ情報を記憶した記憶部と、
外部と通信を行うことでＷｅｂ情報を受信可能な通信部と、を備える情報処理装置で実行可能な選曲用プログラムであって、
各種情報で構成されたページ領域を画面に表示する表示処理を実行可能とし、
ページ領域は、第１領域と、第１領域に隣接した第２領域とを有し、
第１領域は、ネイティブ情報を使用し、Ｗｅｂ情報を使用せずに表示される領域であって、
第２領域は、Ｗｅｂ情報を含んで表示される領域であって、
表示処理は、画面にページ領域を表示させる際、第１領域を画面に表示させた後、ユーザのスクロール操作に基づいて第２領域を画面に表示させる。
【発明の効果】
【００１６】
本発明に係る選曲装置、選曲用プログラムによれば、画面を迅速に表示させるとともに、スクロール操作により、通信を介した最新の情報を提供することが可能となる。
【図面の簡単な説明】
【００１７】
【図１】カラオケ店舗におけるネットワーク構成を示す図。
【図２】本発明の実施形態に係るカラオケシステムの構成を示す図。
【図３】本実施形態に係る対応付け処理（リモコン装置）を示すフロー図
【図４】本実施形態に係る対応付け処理（カラオケ装置）を示すフロー図
【図５】本実施形態に係る開局情報、バナー情報のデータ構成を示す図
【図６】本実施形態に係るリモコン装置の処理を示すフロー図
【図７】本実施形態に係る再生処理を示すフロー図
【図８】本実施形態に係る初期画面を形成するページ領域を示す図
【図９】本実施形態に係る初期画面（第１レイアウト）を示す図
【図１０】本実施形態に係る初期画面（第２レイアウト）を示す図
【図１１】本実施形態に係るコンテンツ選択画面を形成するページ領域を示す図
【図１２】本実施形態に係るコンテンツ選択画面（初期表示時）を示す図
【図１３】本実施形態に係るコンテンツ選択画面（スクロール時）を示す図
【図１４】他の実施形態に係るコンテンツ選択画面（初期表示時）を示す図
【図１５】他の実施形態に掛かるリモコン装置の処理を示すフロー図
【発明を実施するための形態】
【００１８】
カラオケボックスのようなカラオケ店舗では、多数のカラオケ装置、リモコン装置が必要とされ、このような環境下では、複数のリモコン装置は、ネットワーク上に設置されたアクセスポイントを介してネットワークに接続される。図１は、カラオケ店舗におけるネットワーク構成の一例を示した図である。
【００１９】
この図に示されるようにＡ号室〜Ｋ号室までの各部屋には、カラオケ装置２ａ〜２ｋと、モニタ４１ａ〜４１ｋが設置されている。カラオケ装置２ａ〜２ｋは、ＬＡＮケーブルを介してＬＡＮ１００に接続され、ネットワークを構成している。さらに、ＬＡＮ１００はルータ１２０、光モデム１２１を介してインターネットに接続され、図示しないサーバと通信を行うことができる。このようなネットワーク環境下では、カラオケ装置２ａ〜２ｋは、サーバと通信することで、新しい楽曲情報のダウンロードを行う、あるいは、ユーザ情報や利用履歴などをサーバで管理することが可能となる。
【００２０】
一方、カラオケ装置２に対して、選曲の指示、各種制御命令を出力するリモコン装置１（本発明に係る「選曲装置」に相当）は、管理者によりカウンタで管理されている。カラオケ店舗に来店したお客様（ユーザ）は、このカウンタで手続を済ましてリモコン装置１を借り受け、管理者に指示された部屋へ移動する。リモコン装置１は、無線ＬＡＮ機能を備えており、店舗内に設置された何れかのアクセスポイント１１０ａ〜１１０ｃを介してＬＡＮ１００に接続され、対応付けられたカラオケ装置２と通信することが可能となっている。
【００２１】
図２は、本発明の実施形態に係るカラオケシステムの構成を示す図である。本実施形態におけるカラオケシステム３は、カラオケ装置２（「コマンダ」とも呼ばれる）と、リモコン装置１を含んで構成されている。カラオケ装置２とリモコン装置１は、ＬＡＮ１００及びアクセスポイント１１０を利用してネットワークを形成するように接続されている。図１では、各部屋に設置されたカラオケ装置２ａ〜２ｋ、モニタ４１ａ〜４１ｋを識別できるように添字ａ〜ｋを付しているが、図２においては、添字ａ〜ｋを省略して記載している。
【００２２】
カラオケ装置２は、楽曲を演奏するための演奏手段として音響制御部２５を備えている。また、カラオケ装置２は、ユーザからの各種入力を受け付けるスイッチなどで構成されるカラオケ装置２側の入力手段としての操作部２１を備える。カラオケ装置２は、操作部２１からの入力を解釈して制御部３０に伝達する操作処理部２２を備える。また、カラオケ装置２は、各種情報を記憶するカラオケ装置２側の記憶手段としてのＨＤＤ３２（ハードディスク）を備える。カラオケ装置２は、ＬＡＮ１００に接続してネットワークに加入するためのカラオケ装置側通信手段としてのＬＡＮ通信部２４を備えている。
【００２３】
また、カラオケ装置２は、モニタ４１に対して歌詞、背景映像等の映像を表示させる映像再生手段を備える。この映像再生手段は、背景映像情報に基づいて背景映像を再生する映像再生部２９、再生する背景映像を一時的に蓄積するビデオＲＡＭ２８、再生された背景映像に歌詞を重畳表示する映像制御部３１を備えている。なお、映像制御部３１では、背景映像に対して映像効果を付与する機能を有してもよい。
【００２４】
さらに、このカラオケ装置２では、外部に接続されたモニタ４１以外に、タッチパネルモニタ３３に対しても各種情報を表示することを可能としている。タッチパネルモニタ３３は映像制御部３１から入力された映像情報を表示する表示部３３ａと、タッチ入力された位置を操作処理部２２に出力するタッチパネル３３ｂが重畳されて構成されている。また、カラオケ装置２に対する各種操作は、カラオケ装置２のフロントパネル等に設けられた操作部２１を介して行うことも可能となっている。
【００２５】
本実施形態のタッチパネルモニタ３３は、リモコン装置１の操作手段であるタッチパネルモニタ１１と同様の操作手段として機能することも可能としている。ユーザはタッチパネルモニタ３３から楽曲を選択して、直接カラオケ装置２に予約をさせるなど、リモコン装置１と同等の操作手段として機能することが可能である。
【００２６】
さらに、カラオケ装置２は、各構成を統括して制御するための制御手段として、ＣＰＵ等で構成された制御部３０、各種プログラムを実行するにあたって必要となる情報を一時記憶するためのメモリ２７を備えている。
【００２７】
このような構成にてカラオケ装置２は、各種処理を実行することとなるが、カラオケ装置２の主な機能として、選曲処理、再生処理などを実行可能としている。選曲処理は、ユーザからの指定に基づいて楽曲を指定、予約するための処理であってリモコン装置１と連携して実行される。リモコン装置１から送信された楽曲を識別する楽曲ＩＤを含む予約情報をメモリ２７に記憶する予約テーブルに登録する。再生処理は、予約テーブルに登録された予約情報に基づき楽曲を再生させる処理であって、演奏処理と歌詞再生処理とが同期して実行される処理である。なお、本実施形態の再生処理では、楽曲のみならず、映画、ドラマ、バラエティ、ＰＶ（プロモーションビデオ）、音楽ライブ等の各種コンテンツを再生することが可能となっている。
【００２８】
楽曲を再生する演奏処理は、カラオケ情報に含まれる伴奏情報を音響制御部２５にて演奏させる処理である。音響制御部２５にて演奏された楽曲は、歌唱用マイク４４ａ、４４ｂから入力される歌唱音声と一緒にスピーカ４２から放音される。歌詞再生処理は、カラオケ情報に含まれる歌詞情報に基づいて、歌詞をモニタ４１に表示させることで歌唱補助を行う処理である。この歌詞再生処理で表示される歌詞に、背景映像を重畳させて表示させる背景映像表示処理を実行することとしてもよい。
【００２９】
一方、リモコン装置１は、予約情報などカラオケ装置２に対して各種指示を送信するとともに、カラオケ装置２あるいはインターネット上に接続されたサーバ装置５から各種情報を受信する。本実施形態では、ユーザインターフェイスとしてボタンなどの操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００３０】
さらにリモコン装置１は、楽曲検索に必要とされるデータベース、各種プログラム、並びに、プログラム実行に伴って発生する各種情報を記憶するメモリ１４、そして、これら構成を統括して制御するためのリモコン側制御手段を備えて構成される。リモコン側制御手段には、ＣＰＵ等で構成される制御部１５、表示部１１ａに対して表示する映像を形成する映像制御部１３、表示する映像情報を一時的に蓄えるビデオＲＡＭ１２、操作部１７からの入力を解釈して制御部１５に伝達する操作処理部１８が含まれている。
【００３１】
リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種指令は、対応付けされたカラオケ装置２にて受信されることとなる。なお、カラオケ装置２の操作は、ユーザ（顧客）が所持するスマートフォン等の携帯端末を使用して行うことも可能である。その場合、ユーザが来店した際、ユーザが所持する携帯端末とカラオケ装置２とが対応付けられる。
【００３２】
ここで、リモコン装置１とカラオケ装置２を対応付ける対応付け処理について説明する。対応付け処理は、（１）予め店舗の従業員によって行われる形態、（２）お客様によって行われる形態が考えられる。
【００３３】
（１）の場合、リモコン装置１とカラオケ装置２とは予め従業員の操作によって対応付け処理が実行され、店舗のカウンタでは、お客様が入室する部屋に設置されるカラオケ装置２に対応付けられたリモコン装置１が貸し出されることになる。（１）の場合、リモコン装置１は、対応付けられているカラオケ装置２が設置されている部屋に予め設置されていてもよい。
【００３４】
（２）の場合、カウンタで貸し出されるリモコン装置１は、対応付けが解除された状態となっており、お客様が入室した部屋で、お客様の操作によって対応付け処理が実行されることで、借り受けたリモコン装置１と入室した部屋に設置されているカラオケ装置２が対応付けられることになる。
【００３５】
では、対応付け処理の一例について説明する。図３、図４は、本実施形態における対応付け処理であって、図３は、リモコン装置１側で実行される対応付け処理を、図４は、カラオケ装置２側で実行される対応付け処理を示したフロー図である。本実施形態では、リモコン装置１側の赤外線通信部１９と、カラオケ装置２側の赤外線通信部２３の間で通信を行うことで対応付け処理を行うこととしている。リモコン装置１において対応付け処理開始の指示を受け付けことで、リモコン装置１から接続通知がカラオケ装置２側に送信される（Ｓ１０１）。
【００３６】
カラオケ装置２において、この接続通知の受信が確認される（Ｓ１１０：Ｙｅｓ）と、赤外線通信部２３を介して装置側識別情報を送信する（Ｓ１１１）。本実施形態では、装置側識別情報としては、カラオケ装置２の装置ＩＤと、カラオケ装置２に割り当てられているＩＰアドレスを使用している。なお、宛先としての装置ＩＤは特段、必要とするものではない。リモコン装置１とカラオケ装置２とは対面した状況で赤外線通信が行われるためである。なお、本実施形態において接続通知と装置側識別情報の送受信を行う通信手段としては、赤外線通信の他、他の無線通信手段を採用してもよいし、有線通信手段を利用することも可能である。
【００３７】
リモコン装置１では、カラオケ装置２から赤外線送信された装置側識別情報が受信されるのを待つ（Ｓ１０２）。装置側識別情報が受信されると、受信した装置側識別情報を記憶（Ｓ１０３）して対応付け処理を終了する。対応付け処理が完了した後は、装置側識別情報を利用して、対応付けられたカラオケ装置２をＬＡＮ１００上で識別することが可能となり、当該カラオケ装置２とアクセスポイント１１０を介した無線通信を行い、各種情報の伝送を行うことが可能となる。なお、リモコン装置１において、赤外線による装置識別情報を所定時間受信しなかった場合（Ｓ１０４：Ｙｅｓ）、タイムアウト処理として対応付け処理を終了する。
【００３８】
各部屋に設置されているカラオケ装置２は、カラオケ業者との契約完了後、開局処理が実行され、使用可能な状態となる。図５（Ａ）は、開局処理によって、カラオケ装置２に記憶される開局情報のデータ構成を示す図である。開局情報には、開局ＩＤ、カラオケ装置２を識別するための装置ＩＤ、契約開始日、契約終了日、契約情報等が記憶される。ここで、契約情報としては、カラオケ装置２が設置されている地域を示す情報、契約者または契約内容を識別するための情報等が含まれている。この契約情報に基づいて、カラオケ装置２あるいはリモコン装置１の各種制御を行うことが可能となっている。
【００３９】
図６は、本実施形態に係るリモコン装置１の処理を示すフロー図であって、カラオケ装置２と対応付けられたリモコン装置１について、お客様が使用する際の処理を示している。リモコン装置１の使用が開始されると、まず、リモコン装置１は、対応付けられているカラオケ装置２の通信回線が、高速回線か、低速回線を判定する（Ｓ２０１）。この通信回線種別の判断は、カラオケ装置２から通信回線種別を受信することで判定される。カラオケ装置２において、通信回線種別は予め記憶しておいてもよいし、あるいは、通信回線速度を測定し、通信回線種別情報として記憶することとしてもよい。
【００４０】
本実施形態では、カラオケ装置２の通信回線種別（通信速度）に応じて、リモコン装置１の初期画面のレイアウトを変更することとしている。具体的には、高速回線の場合（Ｓ２０１：高速）、リモコン装置１の初期画面に動画配信サービス表示領域６４を表示することで、映画、ドラマ、ＰＶ等のコンテンツを選択可能とする第１レイアウトを使用する。一方、低速回線の場合（Ｓ２０１：低速）には、動画配信サービス表示領域６４を表示しない第２レイアウトを使用している。
【００４１】
図８は、本実施形態に係る初期画面を形成するページ領域を示す図であって、第１レイアウト時のページ領域を示している。ページ領域には、楽曲の制御に関する操作領域６１、選曲領域６２、選曲ランキング表示領域６３、動画配信サービス表示領域６４、バナー情報中のサムネイル画像（リンクサムネイル画像Ａ〜Ｐ）を含んで構成されている。なお、リンクサムネイル画像Ａ〜Ｐとは、リンク先あるいは処理内容が規定された画像情報であって、リンクサムネイル画像Ａ〜Ｐを操作することで、リンク先に移動する、あるいは、処理内容を実行することが可能となっている。
【００４２】
操作領域６１は、予約確認、マイク音量／演奏操作、演奏停止といった楽曲の制御に関する操作を行うボタンが設けられており、これらボタンを操作することで楽曲の制御を行うことが可能である。本実施形態の操作領域には、このように楽曲の制御を行うことのできるボタンの他、曲を選ぶ、採点、投稿動画、キャンペーン、遊ぶといった他の機能を選択するためのボタンも含まれている。なお、操作領域６１は、リモコン装置１の利用時、画面の上部に常時表示されており、カラオケを行うユーザの利用を補助することが可能となっている。
【００４３】
また、カラオケを行う場合、ユーザは、選曲領域６２に表示される各種選曲方法を選択することで、当該選曲方法に対応する選曲画面に移動し、所望する楽曲を指定することが可能である。また、映画、ドラマ、ＰＶ等のコンテンツを楽しみたいユーザは、動画配信サービス表示領域６４を選択することで、後で説明するコンテンツ選択画面を表示させ、所望のコンテンツを選択することが可能となっている。
【００４４】
図９は、本実施形態に係る初期画面（第１レイアウト）を示す図である。図９は、図８で説明したページ領域が、リモコン装置１のタッチパネルモニタ１１に表示された初期状態であって、図８のページ領域の上部が表示された状態である。ユーザは、タッチパネルモニタ１１をタッチ操作することで、下側にスクロールさせることで、図８のページ領域の下方を閲覧することが可能となっている。
【００４５】
図９に示すように初期画面（第１レイアウト）では、動画配信サービス表示領域６４が表示されており、ユーザは、カラオケシステムにおいて、動画配信サービスが提供されていることを確認することが可能となるとともに、動画配信サービス表示領域６４をタッチ操作することで、コンテンツ選択画面に移行することが可能となっている。
【００４６】
一方、カラオケ装置２が低速回線の場合、リモコン装置１では、図１０に示す初期画面（第２レイアウト）が表示される。この初期画面では、図９で表示させていた動画配信サービス表示領域６４が表示されないレイアウトとなっている。その際、動画配信サービス表示領域６４が表示されていた場所には、図８において、動画配信サービス表示領域６４の下方に位置していたリンクサムネイル画像Ａ〜Ｌを上方に移動させ、画面に空きが生じることを防いでいる。
【００４７】
図１０の初期画面（第２レイアウト）において、カラオケとしての楽曲を再生する場合、ユーザは、選曲領域６２に表示された各種選曲方法を選択する（Ｓ２０３：Ｙｅｓ）ことで、選曲画面（図示せず）を表示させ（Ｓ２０４）、所望の楽曲を選択する。楽曲が選択される（Ｓ２０５：Ｙｅｓ）と、リモコン装置１は、楽曲を識別する楽曲ＩＤを含む予約情報をカラオケ装置２に送信（Ｓ２０６）し、カラオケ装置２では、受信した予約情報をメモリ２７で記憶管理する予約テーブルに登録する。ユーザは、選曲画面を使用して選曲を継続する（Ｓ２０７：Ｎｏ）、あるいは、初期画面に戻る（Ｓ２０７：Ｙｅｓ）ことが可能となっている。
【００４８】
一方、図９の初期画面（第１レイアウト）では、動画配信サービス表示領域６４が表示されており、ユーザは、楽曲のみならず、コンテンツの再生指示を行うことが可能となっている。初期画面（第１レイアウト）において、選曲領域６２に表示された各種選曲方法を選択された場合（Ｓ２１１：選曲）、第２レイアウトと同じように、選曲画面を表示させ、選択された楽曲の予約情報を送信する選曲処理が実行される（Ｓ２１２〜Ｓ２１５）。一方、動画配信サービス表示領域６４が選択された場合（Ｓ２１１：コンテンツ選択）、コンテンツの選択に関する処理が開始される。
【００４９】
コンテンツの選択に関する処理では、リモコン装置１は、カラオケ装置２に記憶されている契約情報を取得（受信）する。また、契約情報を含む開局情報は、リモコン装置１とカラオケ装置２とが対応付け処理された際に、カラオケ装置２からリモコン装置１に送信されてもよい。契約情報は、開局処理でカラオケ装置２に記憶された情報であって、カラオケ装置２が設置されている地域を示す情報、契約者または契約内容を識別するための情報等が含まれている。リモコン装置１は、取得した契約情報に応じたバナー情報を選択する（Ｓ２２１）。ここで、バナー情報とは、リモコン装置１において、コンテンツを選択するために必要な情報である。
【００５０】
図５（Ｂ）は、本実施形態に係るバナー情報のデータ構成を示した図である。バナー情報は、リモコン装置１に適宜タイミングで予め配信され、メモリ１４等の記憶手段に記憶しておくネイティブ情報と、コンテンツ選択画面を表示した際にサーバ装置５にアクセスして取得するＷｅｂ情報があるが、どちらのデータ構成も共通である。バナー情報には、バナーＩＤ、サムネイル画像、リンク情報、公開期限日、契約対応情報、速度対応情報を含んで構成されている。
【００５１】
バナーＩＤは、バナー情報を識別するための識別情報である。サムネイル画像は、タッチパネルモニタ１１に表示され、タッチ操作等、ユーザによる選択が行われることで、バナー情報中のリンク情報に基づく処理を実行する。リンク情報は、ＵＲＬ等、バナー情報のサムネイル画像が選択された際の行き先が記された情報である。公開期限日は、バナー情報の公開期限であって、リモコン装置１は、現在の日時がこの公開期限を過ぎている場合、当該バナー情報を表示対象としない。
【００５２】
契約対応情報は、開局情報中の契約情報に関連する情報であって、カラオケ装置２の契約情報と対応関係がある場合、当該バナー情報を表示対象とする。例えば、契約情報が１〜３０までの数値による種別を指定可能であって、契約対応情報も同様に１〜３０までの数値による種別を指定可能としている場合、契約情報と契約対応情報が同じ数値を含んでいる場合、当該契約対応情報を有するバナー情報が表示対象となる。速度対応情報は、別の実施形態で使用される情報であって、カラオケ装置２の通信回線種別（高速あるいは低速）によって、バナー情報を表示するか否かを決定する情報である。例えば、速度対応情報が「０」である場合、通信速度が高速、低速の両方で当該バナー情報を表示対象とする。一方、速度対応情報が「１」である場合、通信速度が高速の場合に限って当該バナー情報を表示対象とする。また、速度対応情報が「２」である場合、通信速度が低速の場合に限って当該バナー情報を表示対象とする。
【００５３】
このようなバナー情報を使用することで、ユーザに各種情報を提示し、選択させることが可能である。バナー情報がサムネイル画像で示す情報には、操作指示、各種広告、そして、コンテンツを選択させる等、各種情報を提示することが可能であり、サムネイル画像には、画像のみならず説明のための文字を含むことも可能である。
【００５４】
前述したように、リモコン装置１は、契約情報に応じたバナー情報を選択（Ｓ２２１）し、選択されたバナー情報を使用してコンテンツ選択画面を表示する（Ｓ２２２）。バナー情報の選択は、カラオケ装置２の開局情報中に規定されている契約情報と、バナー情報中に規定されている契約対応情報を対比することで行うことが可能である。例えば、カラオケ装置２が設置されている地域で好まれるジャンルのバナー情報を積極的に表示すること、具体的には、秋葉原の店舗であれば、アニメ系のバナー情報を表示することで、コンテンツの利用度合いを高めることが可能となる。
【００５５】
図１１は、本実施形態に係るコンテンツ選択画面を形成するページ領域を示す図である。コンテンツ選択画面を形成するページ領域には、初期画面で説明した操作領域６１を上部に有し、バナー情報を使用して表示されるサムネイル画像（コンテンツサムネイル画像Ａ〜Ｐ）に関する情報を含んで構成されている。なお、操作領域６１は、予めメモリ１４に記憶されている情報（ネイティブ情報）のみで形成されており、迅速な表示を行うことが可能となっている。
【００５６】
ここで、ページ領域は、上方に位置する第１領域６５ａと、下方に位置する第２領域６５ｂを有して構成されている。第１領域６５ａに表示させる各種情報は、リモコン装置１に予め配信され、メモリ１４等の記憶手段に記憶しておかれたネイティブ情報のみで構成されている。第１領域６５ａ中、バナー情報に基づいて表示されるコンテンツサムネイル画像Ａ〜Ｊは、全てネイティブ情報で構成されている。なお、コンテンツサムネイル画像には、コンテンツに関する画像の他、コンテンツのタイトル名、出演者名等、コンテンツに関連する文字情報が含まれている。
【００５７】
一方、第２領域６５ｂに表示される各種情報は、コンテンツ選択画面を表示開始した後、インターネットを通じて取得されるＷｅｂ情報を含んで構成されている。例えば、第２領域６５ｂ中、ピックアップと表示された欄内には、Ｗｅｂ情報で構成されたバナー情報に基づき、コンテンツサムネイル画像Ｋ〜Ｐが表示される。
【００５８】
ここで、ページ領域中、第１領域６５ａと第２領域６５ｂは異なるプログラム言語を使用して形成されている。例えば、第１領域６５ａは、Ｊａｖａ（登録商標）を使用して形成し、第２領域６５ｂは、ＨＴＭＬを使用して形成することが考えられる。第１領域６５ａは予めリモコン装置１に記憶されたネイティブ情報を使用しているため、比較的、データ量の多いＪａｖａを使用した場合であっても迅速に表示を行うことが可能であり、また、視覚効果の高い演出で表示することが可能である。一方、第２領域６５ｂは、コンテンツ選択画面の表示開始後、インターネットを通じて受信するＷｅｂ情報を使用するため、比較的、データ量の少ないＨＴＭＬを使用することで、迅速に表示を行うことが可能である。また、サーバ装置５から最新の情報を取得することも可能となる。
【００５９】
さらに本実施形態では、第１領域６５ａ内には、有料課金コンテンツを選択するためのバナー情報を使用し、第２領域６５ｂ内には、無料コンテンツを選択する為のバナー情報を使用している。リモコン装置１に表示されるコンテンツ選択画面の表示開始時には、第１領域６５ａが表示されるため、ユーザに対して有料課金コンテンツの選択を促すことが可能となっている。なお、第１領域６５ａ、第２領域６５ｂには、有料課金コンテンツを選択するためのバナー情報と、無料コンテンツを選択するためのバナー情報を混在させることとしてもよい。
【００６０】
図１２は、リモコン装置１において、コンテンツ選択画面を表示開始した直後の状態が示されている。図１１の第１領域６５ａには、初期表示ライン６５ｃが示されている。この初期表示ライン６５ｃより上方が、コンテンツ選択画面を表示開始時に表示されることになる。図１１に示す初期表示ライン６５ｃは第１領域６５ａ中に位置することから、図１２に示すコンテンツ選択画面を表示開始した状態のタッチパネルモニタ１１は、ネイティブ情報のみを使用し、Ｗｅｂ情報を使用しないで表示されることになる。したがって、コンテンツ選択画面の初期表示において、Ｗｅｂ情報を必要とせず、迅速にコンテンツ選択画面を表示開始することが可能となっている。また、Ｗｅｂ情報を使用せず、ネイティブ情報のみを使用し表示させることで、リモコン装置１の処理負荷を軽減させることが可能となり、処理負荷の軽減による表示速度の向上を図ることも可能となる。
【００６１】
コンテンツ選択画面の表示開始（Ｓ２２２）に伴って、リモコン装置１は、無線ＬＡＮ通信部１６を使用して、コンテンツ選択画面中の第２領域６５ｂを表示するために必要なＷｅｂ情報を受信開始する（Ｓ２２３）。第２領域６５ｂは、コンテンツ選択画面の初期表示では、タッチパネルモニタ１１に表示されず、ユーザがスクロール指示を行うことで表示される。図１３は、リモコン装置１において、図１２のコンテンツ選択画面を表示後、スクロール指示されることで、下方にスクロールされた状態のコンテンツ選択画面が示されている。このように第２領域６５ｂでは、Ｗｅｂ情報で構成されているため、インターネットを経由して受信した最新の情報を掲載することが可能となっている。
【００６２】
図１１で説明したページ領域を、図１２、図１３のようにコンテンツ選択画面として、リモコン装置１に表示させることで、ユーザは、視聴を希望するコンテンツを選択することが可能となる。タッチパネルモニタ１１を使用して、コンテンツを選択するためのバナー情報（コンテンツサムネイル画像）が選択された場合（Ｓ２２４）、タッチパネルモニタ１１には、当該情報のリンク情報として規定されたコンテンツ詳細画面（図示せず）が表示される（Ｓ２２５）。コンテンツ詳細画面は、コンテンツに関する各種情報をユーザに提示するための情報であって、コンテンツ詳細情報を使用して表示される。図５（Ｃ）には、コンテンツ詳細情報のデータ構成が示されている。コンテンツ詳細情報は、コンテンツＩＤ、コンテンツ関連情報を含んで構成されている。コンテンツＩＤは、コンテンツ情報を示す識別情報であり、コンテンツＩＤをカラオケ装置２に伝達することで、カラオケ装置２は、コンテンツＩＤに対応するコンテンツ情報を再生することが可能である。コンテンツＩＤは楽曲ＩＤであっても良い。コンテンツ関連情報は、コンテンツに関する画像、コンテンツ名、出演者名、再生時間等、コンテンツに関連する各種情報を含んで構成されている。コンテンツ詳細画面には、このコンテンツ関連情報を使用して表示することで、ユーザはコンテンツの詳細を確認することが可能である。
【００６３】
コンテンツ詳細画面において、ユーザによりコンテンツの視聴が選択されると、選択されたコンテンツは、有料であるか、無料であるかの判定が行われる（Ｓ２２６）。選択されたコンテンツが有料である場合、リモコン装置１は、サーバ装置５と通信することで課金処理（Ｓ２２７）を実行した後、選択されたコンテンツを示すコンテンツＩＤを含む予約情報をカラオケ装置２に送信する（Ｓ２２８）。一方、コンテンツが無料である場合（Ｓ２２６：Ｎｏ）、課金処理（Ｓ２２７）は実行されず、選択されたコンテンツを示すコンテンツＩＤを含む予約情報がカラオケ装置２に送信される（Ｓ２２８）。
【００６４】
カラオケ装置２では、受信した予約情報をメモリ２７で記憶管理する予約テーブルに登録する。ユーザは、コンテンツ選択画面を使用してコンテンツの選択を継続する（Ｓ２２９：Ｎｏ）、あるいは、初期画面に戻る（Ｓ２２９：Ｙｅｓ）ことが可能となっている。
【００６５】
図７には、カラオケ装置２で実行される再生処理を示すフロー図が示されている。カラオケ装置２は、予約テーブルを参照（Ｓ３０１）し、次に再生すべき予約情報の有無を判定する（Ｓ３０２）。予約情報がある場合（Ｓ３０２：Ｙｅｓ）、次に再生すべき予約情報が楽曲を指定しているのか、コンテンツを指定しているのかが判定される（Ｓ３０３）。楽曲が指定されている場合、指定された楽曲に対応するカラオケ情報の再生を開始（Ｓ３０４）し、楽曲の再生が終了（Ｓ３０５：Ｙｅｓ）すると、予約テーブルのチェックに戻る。一方、コンテンツが指定されている場合、指定されたコンテンツに対応するコンテンツ情報の再生を開始（Ｓ３０６）し、楽曲の再生が終了（Ｓ３０７：Ｙｅｓ）すると、予約テーブルのチェックに戻る。このように、本実施形態では、楽曲とコンテンツを同じ予約テーブルで管理することとしており、例えば、コンテンツ情報の再生の合間に楽曲情報を再生することが可能となっている。
【００６６】
以上、本実施形態に係る選曲装置について、カラオケシステムに使用されるリモコン装置１を例に取って、説明したが、本実施形態の選曲装置は、ネイティブ情報を使用し、Ｗｅｂ情報を使用せずに表示される第１領域６５ａと、Ｗｅｂ情報を含んで表示される第２領域６５ｂを有するページ領域を使用し、第１領域６５ａを画面に表示させた後、ユーザのスクロール操作に基づいて第２領域６５ｂを画面に表示させることとしている。このような構成により、画面を迅速に表示させるとともに、スクロール操作により、通信を介した最新の情報を提供することが可能となる。
【００６７】
（変形例１）
なお、本実施形態のリモコン装置１は、所定の大きさの画面のタッチパネルモニタ１１としているが、リモコン装置１の機種によっては、画面のサイズ（大きさ）が異なる場合がある。その場合、図１１で説明したページ領域は、使用するタッチパネルモニタ１１の画面のサイズを判定し、そのレイアウトが変更されることが考えられる。図１４は、他の実施形態に係るコンテンツ選択画面（初期表示時）を示す図であって、図１２、図１３で説明したタッチパネルモニタ１１とは画面のサイズ（大きさ）が異なっている。また、図１４のタッチパネルモニタ１１は、縦方向に長い点においても、横方向に長い図１２、図１３のタッチパネルモニタ１１と異なっている。図１４のようなタッチパネルモニタ１１を使用する場合においても、リモコン装置１のタッチパネルモニタ１１に表示されるコンテンツ選択画面は、その表示開始時には、判定された画面のサイズに基づいてレイアウトを調整することで、ネイティブ情報のみで形成された第１領域６５ａを表示させ、その後、ユーザのスクロール操作によって、Ｗｅｂ情報を含んで形成された第２領域６５ｂを表示させることとなる。
【００６８】
また、リモコン装置１においては、縦方向の使用、横方向の使用をセンサで検出して、画面の表示方向を切り替えることが考えられる。そのような場合、コンテンツ選択画面の表示開始時には、縦方向の使用、横方向の使用、どちらにおいても、画面のサイズを判定し、判定された画面のサイズに基づいてレイアウトを調整することで、ネイティブ情報のみで形成された第１領域６５ａを表示させることで、迅速な表示を行うことが必要とされる。
【００６９】
（変形例２）
前述の実施形態では、カラオケ装置２の通信が高速の場合、図９の初期画面に動画配信サービス表示領域６４を表示して、動画配信サービス機能を利用可能とし、カラオケ装置２の通信回線種別が低速の場合、図１０の初期画面には、動画配信サービス表示領域６４を表示せず、動画配信サービス機能を利用できないようにしていた。このような形態に代え、コンテンツを選択するためのバナー情報を、低速の場合、高速の場合で変更することとしてもよい。
【００７０】
図５（Ｂ）のバナー情報のデータ構成で説明したように、バナー情報には、速度対応情報を含ませることも可能である。例えば、速度対応情報が「０」である場合、通信速度が高速、低速の両方で当該バナー情報を表示対象とする。一方、速度対応情報が「１」である場合、通信速度が高速の場合に限って当該バナー情報を表示対象とする。また、速度対応情報が「２」である場合、通信速度が低速の場合に限って当該バナー情報を表示対象とする。このような速度対応情報に基づき、カラオケ装置２の通信速度（通信回線種別）が、高速回線か、あるいは、低速回線かによって、コンテンツ選択画面に表示するバナー情報を選択してもよい。
【００７１】
図１５は、変形例２に係るリモコン装置１の処理を示す図であって、先に説明した図６の処理に代わる処理である。この変形例２で表示される初期画面は、カラオケ装置２の通信回線種別が高速回線、低速回線に関わらず、図９で説明した初期画面であって、動画配信サービス表示領域６４を含んで構成されている（Ｓ２５１）。初期画面で楽曲の選択が指定された場合（Ｓ２５２：選曲）、Ｓ２５３〜Ｓ２５６の処理が実行される。これら処理は、図６で説明した処理と同様である。
【００７２】
一方、初期画面で動画配信サービス表示領域６４が指定された場合（Ｓ２５２：コンテンツ選択）、リモコン装置１は、カラオケ装置２の契約情報を取得する（Ｓ２５７）とともに、カラオケ装置２の通信速度（通信回線種別が高速回線もしくは低速回線）を取得する。そして、取得した契約情報に応じたバナー情報を表示の対象として選択（Ｓ２５９）し、選択されたバナー情報に基づき、コンテンツ選択画面の第１領域６５ａにネイティブ情報を表示する（Ｓ２６０）。その後、リモコン装置１は、第２領域６５ｂに表示するためのＷｅｂ情報を受信開始する（Ｓ２６１）。その後の処理（Ｓ２６３〜Ｓ２６７）は、図６で説明した処理と同様である。
【００７３】
このように、変形例２では、カラオケ装置２の通信回線種別（通信速度）に基づきバナー情報、すなわち、コンテンツを選択するための情報を選別することで、カラオケ装置２の通信速度に応じたコンテンツをユーザに選択させることが可能となる。例えば、低速回線の場合、長時間のコンテンツ情報を再生した場合、通信回線を圧迫し、店舗内の他のカラオケ装置２の通信の障害となるが、低速回線では、このような長時間のコンテンツを選択させないようにすることで、店舗内における良好な通信を行うことが可能となる。なお、本実施形態では、通信回線の形態として、低速回線、高速回線の２段階としているが、通信回線の形態は、２段階以上の種類とし、当該種類に応じたバナー情報を表示することも可能である。
【００７４】
以上、本実施形態ではカラオケシステムのリモコン装置１（選曲装置）を例に取って説明を行ったが、本発明はカラオケシステムのリモコン装置１に限らず、各種情報処理装置で実行可能な選曲用プログラムについても本発明の範疇に属する。また、リモコン装置１は、カラオケ専用の装置のみならず、ＰＣやゲーム機、スマートフォン等の各種情報装置であってもよい。その際、これらの情報装置で実行可能な選曲用プログラムについても本発明の範疇に属する。
【符号の説明】
【００７５】
１：リモコン装置                ２８：ビデオＲＡＭ
２（２ａ〜２ｋ）：カラオケ装置  ２９：映像再生部
３：カラオケシステム            ３０：制御部
５：サーバ装置                  ３１：映像制御部
１１：タッチパネルモニタ        ３２：ＨＤＤ（ハードディスク）
１１ａ：表示部                  ３３：タッチパネルモニタ
１１ｂ：タッチパネル            ３３ａ：表示部
１２：ビデオＲＡＭ              ３３ｂ：タッチパネル
１３：映像制御部                ４１（４１ａ〜４１ｋ）：モニタ
１４：メモリ                    ４２：スピーカ
１５：制御部                    ４４ａ、４４ｂ：歌唱用マイク
１６：無線ＬＡＮ通信部          ６１：操作領域
１７：操作部                    ６２：選曲領域
１８：操作処理部                ６３：選曲ランキング表示領域
１９：赤外線通信部              ６４：動画配信サービス表示領域
２１：操作部                    ６５ａ：第１領域
２２：操作処理部                ６５ｂ：第２領域
２３：赤外線通信部              ６５ｃ：初期表示ライン
２４：ＬＡＮ通信部              １１０（１１０ａ〜１１０ｃ）：アクセスポイント
２５：音響制御部                １２０：ルータ
２７：メモリ                    １２１：光モデム
【図１】
2020187308.tif 000003
【図２】
2020187308.tif 000004
【図３】
2020187308.tif 000005
【図４】
2020187308.tif 000006
【図５】
2020187308.tif 000007
【図６】
2020187308.tif 000008
【図７】
2020187308.tif 000009
【図８】
2020187308.tif 000010
【図９】
2020187308.tif 000011
【図１０】
2020187308.tif 000012
【図１１】
2020187308.tif 000013
【図１２】
2020187308.tif 000014
【図１３】
2020187308.tif 000015
【図１４】
2020187308.tif 000016
【図１５】
2020187308.tif 000017